【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
電子キーと、この電子キーを使用してドアの開閉を行うドア開閉装置とを有する電子キーシステムであって、
前記ドア開閉装置に駆動電力を供給する２次電池と、
受電用コイルを有し、前記ドア開閉装置を駆動するために送られてくる電力を前記受電用コイルにより受け取る受電装置と、
を備えていることを特徴とする電子キーシステム。
【請求項２】
前記ドア開閉装置は、前記２次電池が使用できるときには前記２次電池からの電力で駆動し、前記２次電池が使用できないときには前記受電装置が外部から受け取る電力で駆動するようになっていることを特徴とする請求項１に記載の電子キーシステム。
【請求項３】
前記受電装置の受電用コイルと接近することで電磁的に結合できるとともに相互に分離自在に構成される送電用コイルを有し、前記送電用コイルを前記受電装置の前記受電用コイルと電磁結合させて前記受電装置に電力を送る送電装置を、さらに備え、
前記送電装置は１次電池で駆動するようになっていることを特徴とする請求項１または請求項２に記載の電子キーシステム。
【請求項４】
前記送電装置は、前記送電用コイルと、この送電用コイルに供給する交流を生成する送電手段とを備え、
前記受電装置は、前記受電用コイルと、この受電用コイルと前記送電装置の送電用コイルとが電磁的に結合するときに、前記受電用コイルに誘起される交流を直流に変換する整流手段とを備えていることを特徴とする請求項３に記載の電子キーシステム。
【請求項５】
前記受電装置の受電用コイルまたは充電用の送電装置の送電用コイルと電磁的に結合できるとともに相互に分離自在に構成される送電・受電兼用コイルと、２次電池とを含む送電・受電兼用装置をさらに備え、
前記送電・受電兼用装置は、前記送電・受電兼用コイルを前記受電装置の前記受電用コイルと電磁結合させたときに前記受電装置に電力を送るようになっており、かつ、前記送電・受電兼用コイルを前記送電装置の送電用コイルと電磁結合させたときに前記送電装置から電力を受け取って前記２次電池を充電するようになっていることを特徴とする請求項１または請求項２に記載の電子キーシステム。
【請求項６】
前記送電装置は、前記送電用コイルと、この送電用コイルに供給する交流を生成する送電手段とを備え、
前記送電・受電兼用装置は、
前記送電・受電兼用コイルに供給する交流を生成する送電手段と、
前記送電・受電兼用コイルに誘起される交流を直流に変換する受電手段と、
前記送電・受電兼用コイルと、前記送電手段および前記受電手段のうちのいずれか一方との選択的な接続を行う第２接続手段と、
前記２次電池と、前記送電手段および前記受電手段のうちのいずれか一方との選択的な接続を行う第２接続手段と、
前記第１接続手段および前記第２接続手段の接続を選択データに基づいてそれぞれ制御する制御手段とを備え、
前記受電装置は、前記受電用コイルと、この受電用コイルと前記送電・受電兼用装置の送電・受電兼用コイルとが電磁的に結合するときに、前記受電用コイルに誘起される交流を直流に変換する整流手段とを備えていることを特徴とする請求項５に記載の電子キーシステム。
【請求項７】
前記送電・受電兼用装置は、
前記制御手段に対して、前記送電手段または前記受電手段の選択的な使用を設定する設定手段と、この設定手段の設定状態を表示させる表示手段とをさらに備え、
前記制御手段は、前記設定手段の設定に基づいて前記第１接続手段および前記第２接続手段の接続制御を行うようになっていることを特徴とする請求項６に記載の電子キーシステム。
【請求項８】
前記受電装置の前記整流手段の出力電圧は、定電圧化されていることを特徴とする請求項４、請求項６、または請求項７に記載の電子キーシステム。
【請求項９】
前記送電・受電兼用装置は、携帯電話に搭載されていることを特徴とする請求項５乃至請求項８のうちのいずれかに記載の電子キーシステム。
【請求項１０】
受電装置に対して電力を送電する送電装置であって、
前記送電装置は、電池または前記受電装置で駆動されるドア開閉装置が前記電池で駆動できなくなったときに、前記受電装置が前記ドア開閉装置を駆動できるように、前記受電装置に対して電力を送電できるようになっていることを特徴とする送電装置。
【請求項１１】
受電装置に対して電力を送電する送電部と、送電装置からの電力を受け取る受電部とを有する送電・受電兼用装置であって、
前記送電部と前記受電部は選択的に使用できるようになっており、
前記送電部は、電池または前記受電装置で駆動されるドア開閉装置が前記電池で駆動できなくなったときに、前記受電装置が前記ドア開閉装置を駆動できるように、前記受電装置に対して電力を送電できるようになっており、
前記受電部は、前記送電装置からの電力を受け取って２次電池を充電できるようになっていることを特徴とする送電・受電兼用装置。
【請求項１２】
送電装置からの電力を受け取ることができる受電装置であって、
前記受電装置は、電池または自己の装置で駆動されるドア開閉装置が電池で駆動できなくなったときに、前記送電装置からの電力を受け取って前記ドア開閉装置を駆動できるようになっていることを特徴とする受電装置。
【手続補正２】
【補正対象書類名】明細書
【補正対象項目名】０００１
【補正方法】変更
【補正の内容】
【０００１】
本発明は、例えばキーレス・エントリ・システムのように、電子キーと、この電子キーを使用してドアの開閉を行うドア開閉装置とを有する電子キーシステムなどに関するものである。
【手続補正３】
【補正対象書類名】明細書
【補正対象項目名】０００４
【補正方法】変更
【補正の内容】
【０００４】
そこで、本発明の目的は、上記の点に鑑み、キーレス・エントリ・システムのような電子キーシステムにおいて、ドア開閉装置を駆動する２次電池が使用不能となって使用者がドアを開けることができない場合に、そのドアを使用者が容易に開けることができる電子キーシステムなどを提供することにある。
【手続補正４】
【補正対象書類名】明細書
【補正対象項目名】００１０
【補正方法】変更
【補正の内容】
【００１０】
第８の発明は、第４、第６または第７の発明において、前記受電装置の前記整流手段の出力電圧は、定電圧化されていること。
第９の発明は、第５乃至第８のいずれかの発明において、前記送電・受電兼用装置は、携帯電話に搭載されている。
以上のような構成からなる本発明によれば、電子キーシステムにおいて、ドア開閉装置を駆動する２次電池が使用不能となって使用者がドアを容易に開けることができない場合に、そのドアを使用者が容易に開けることができる。
第１０の発明は、受電装置に対して電力を送電する送電装置であって、前記送電装置は、電池または前記受電装置で駆動されるドア開閉装置が前記電池で駆動できなくなったときに、前記受電装置が前記ドア開閉装置を駆動できるように、前記受電装置に対して電力を送電できるようになっている。
第１１の発明は、受電装置に対して電力を送電する送電部と、送電装置からの電力を受け取る受電部とを有する送電・受電兼用装置であって、前記送電部と前記受電部は選択的に使用できるようになっており、前記送電部は、電池または前記受電装置で駆動されるドア開閉装置が前記電池で駆動できなくなったときに、前記受電装置が前記ドア開閉装置を駆動できるように、前記受電装置に対して電力を送電できるようになっており、前記受電部は、前記送電装置からの電力を受け取って２次電池を充電できるようになっている。
第１２の発明は、送電装置からの電力を受け取ることができる受電装置であって、前記受電装置は、電池または自己の装置で駆動されるドア開閉装置が電池で駆動できなくなったときに、前記送電装置からの電力を受け取って前記ドア開閉装置を駆動できるようになっている。